【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
感光体と、前記感光体を画像データに対応する光で走査することで前記感光体に静電潜像を形成する走査手段と、画像形成のために前記感光体に作用するプロセス手段と、を含む画像形成手段と、
色ずれ補正のための補正用静電潜像を前記感光体に複数形成する制御を行う制御手段と、
前記プロセス手段に電圧を印加する電圧印加手段と、
前記電圧印加手段が前記プロセス手段に電圧を印加することにより、前記プロセス手段を経由して前記電圧印加手段に流れる電流を検出する電流検出手段と、
前記補正用静電潜像の形成周期Ｔｐにおける前記電流検出手段によって検出された出力値の変動幅Ｖｐを、前記補正用静電潜像が形成されていない前記感光体の１回転周期Ｔｄにおける前記電流検出手段によって検出された出力値の変動幅Ｖｄより大きくなるように、前記電流検出手段により検出された出力値を変換する変換手段と、を備えることを特徴とする画像形成装置。
【請求項２】
前記プロセス手段は、前記感光体を帯電する帯電手段、前記感光体に形成された静電潜像をトナーで現像して前記感光体にトナー像を形成する現像手段、前記感光体に形成されたトナー像を記録媒体又は像担持体に転写する転写手段のいずれかであることを特徴とする請求項１に記載の画像形成装置。
【請求項３】
前記変換手段における、前記１回転周期Ｔｄに対応する周波数Ｆｄでの前記出力値の変動幅Ｖｄの減衰率は、前記形成周期Ｔｐに対応する周波数Ｆｐでの前記出力値の変動幅Ｖｐの減衰率より大きいことを特徴とする請求項１又は２に記載の画像形成装置。
【請求項４】
前記制御手段は、前記変換手段における、前記周波数Ｆｄでの前記出力値の変動幅Ｖｄの減衰率が、前記周波数Ｆｐでの前記出力値の変動幅Ｖｐの減衰率より大きくなる様に、前記感光体の回転周波数または前記補正用静電潜像の形成周期を制御することを特徴とする請求項３に記載の画像形成装置。
【請求項５】
前記変換手段は、ハイパス・フィルタであることを特徴とする請求項１から４のいずれか１項に記載の画像形成装置。
【請求項６】
前記ハイパス・フィルタは、少なくとも容量性素子を含むことを特徴とする請求項５に記載の画像形成装置。
【請求項７】
前記ハイパス・フィルタは、少なくとも誘導性素子を含むことを特徴とする請求項５に記載の画像形成装置。
【請求項８】
前記ハイパス・フィルタは、デジタルフィルタであることを特徴とする請求項５に記載の画像形成装置。
【請求項９】
感光体と、前記感光体を帯電する帯電手段と、光を照射することで前記感光体に静電潜像を形成する光照射手段と、前記静電潜像をトナー像として現像する現像手段と、前記トナー像を被転写体上に転写する転写手段と、を有し、前記光照射手段は前記感光体に補正用静電潜像を形成可能な画像形成装置において、
前記補正用静電潜像が前記帯電手段に対向する位置を通過する際の前記帯電手段を介して生じる出力、前記補正用静電潜像が前記現像手段に対向する位置を通過するときの前記現像手段を介して生じる出力、或いは、前記補正用静電潜像が前記転写手段に対向する位置を通過する際の前記転写手段を介して生じる出力を検出する検出手段と、
前記補正用静電潜像の形成周期Ｔｐにおいて、前記検出手段によって検出される出力値の変動幅Ｖｐが、前記補正用静電潜像が形成されていない前記感光体の１回転周期Ｔｄにおいて、前記検出手段によって検出される出力値の変動幅Ｖｄより大きくなるように、前記検出手段により検出される出力値を変換する変換手段と、を備えることを特徴とする画像形成装置。
【請求項１０】
前記変換手段により変換された変換結果に基づき、前記検出手段により前記補正用静電潜像が検出された状態が少なくとも基準状態に近づくように、画像形成時の静電潜像を形成するための条件を補正する制御手段をさらに備えることを特徴とする請求項９に記載の画像形成装置。
【請求項１１】
前記変換手段により変換された変換結果に基づき、前記検出手段により前記補正用静電潜像が検出された状態が基準状態に戻るように、画像形成時の静電潜像を形成するための条件を補正する制御手段をさらに備えることを特徴とする請求項９に記載の画像形成装置。
【請求項１２】
前記感光体を複数有し、
前記変換手段により変換された変換結果に基づき、画像形成時の静電潜像を形成するための条件を補正することによって、複数の感光体の間における色ずれを補正する制御手段を備えることを特徴とする請求項９に記載の画像形成装置。
【請求項１３】
感光体と、光を照射することで前記感光体に静電潜像を形成する光照射手段と、画像を形成するためのプロセス手段と、を備える画像形成装置であって、
前記光照射手段が光を照射することで形成された補正用静電潜像が前記プロセス手段に対向する位置を通過する際の、前記プロセス手段を介して生じる出力を検出する検出手段と、
前記検出手段の検出結果に基づき、画像形成時の静電潜像を形成するための条件を補正する制御手段と、を有し、
前記検出手段は検出結果として、第１の出力値から、前記第１の出力値より小さい第２の出力値までの範囲の値を出力し、前記第１の出力値及び前記第２の出力値は、それぞれ、前記第１の出力値が前記補正用静電潜像を検出するための閾値より大きい値となり、前記第２の出力値が前記閾値より小さい値となるように調整されることを特徴とする画像形成装置。
【請求項１４】
前記第１の出力値及び前記第２の出力値は、前記補正用静電潜像の形成周期Ｔｐにおいて出力値が変動する中で、前記検出手段によって検出されることを特徴とする請求項１３に記載の画像形成装置。
【請求項１５】
前記プロセス手段は、前記感光体を帯電する帯電手段、前記感光体に形成された静電潜像をトナーで現像して前記感光体にトナー像を形成する現像手段、前記感光体に形成されたトナー像を記録媒体又は像担持体に転写する転写手段のいずれかであることを特徴とする請求項１３又は１４に記載の画像形成装置。
【請求項１６】
前記制御手段は、前記第１の出力値及び前記第２の出力値を調整するために、前記感光体の回転周波数または前記補正用静電潜像の形成周期を制御することを特徴とする請求項１３乃至１５のいずれか１項に記載の画像形成装置。
【請求項１７】
前記制御手段は、前記第１の出力値、前記第２の出力値及び前記閾値を用いて前記補正用静電潜像の位置を検出し、前記検出した位置に基づき前記感光体に前記静電潜像を形成するタイミングを制御することを特徴とする請求項１３乃至１６のいずれか１項に記載の画像形成装置。
【請求項１８】
前記感光体は、画像形成に使用する複数の色のそれぞれに対応して設けられ、
前記制御手段は、基準とする色に対応する感光体に形成した前記補正用静電潜像の位置に対する、別の色に対応する感光体に形成した前記補正用静電潜像の位置の基準値からのずれを検出することで、前記別の色に対応する感光体に前記静電潜像を形成するタイミングを制御する様にさらに構成されていることを特徴とする請求項１７に記載の画像形成装置。
【請求項１９】
前記感光体は、画像形成に使用する複数の色のそれぞれに対応して設けられ、
前記制御手段は、各色に対応する感光体に前記静電潜像を形成するタイミングを独立して制御する様にさらに構成されていることを特徴とする請求項１７に記載の画像形成装置。
【請求項２０】
前記検出手段は、画像形成に使用する複数の色のそれぞれに対応して設けられることを特徴とする請求項１３乃至１９のいずれか１項に記載の画像形成装置。
【請求項２１】
前記プロセス手段に電圧を印加する電圧印加手段を備え、
前記検出手段は、前記電圧印加手段が前記プロセス手段に電圧を印加することにより、前記プロセス手段を介して前記電圧印加部に流れる電流を検出することを特徴とする請求項１３乃至２０のいずれか１項に記載の画像形成装置。
【請求項２２】
感光体を有し、前記感光体に補正用静電潜像を形成可能な画像形成装置において、
前記感光体上に形成された前記補正用静電潜像を前記感光体上で検出する検出手段と、
前記検出手段の検出結果に基づき、画像形成時の静電潜像を形成するための条件を補正する制御手段と、を有し、
前記検出手段は検出結果として、第１の出力値から、前記第１の出力値より小さい第２の出力値までの範囲の値を出力し、前記第１の出力値及び前記第２の出力値は、それぞれ、前記第１の出力値が前記補正用静電潜像を検出するための閾値より大きい値となり、前記第２の出力値が前記閾値より小さい値となるように調整されることを特徴とする画像形成装置。
【請求項２３】
前記第１の出力値及び前記第２の出力値は、前記補正用静電潜像の形成周期Ｔｐにおいて出力値が変動する中で、前記検出手段によって検出されることを特徴とする請求項２２に記載の画像形成装置。
【請求項２４】
前記制御手段は、前記第１の出力値及び前記第２の出力値を調整するために、前記感光体の回転周波数または前記補正用静電潜像の形成周期を制御することを特徴とする請求項２２又は２３に記載の画像形成装置。
【請求項２５】
前記制御手段は、前記第１の出力値、前記第２の出力値及び前記閾値を用いて前記補正用静電潜像の位置を検出し、前記検出した位置に基づき前記感光体に前記静電潜像を形成するタイミングを制御することを特徴とする請求項２２乃至２４のいずれか１項に記載の画像形成装置。
【請求項２６】
前記感光体は、画像形成に使用する複数の色のそれぞれに対応して設けられ、
前記制御手段は、基準とする色に対応する感光体に形成した前記補正用静電潜像の位置に対する、別の色に対応する感光体に形成した前記補正用静電潜像の位置の基準値からのずれを検出することで、前記別の色に対応する感光体に前記静電潜像を形成するタイミングを制御する様にさらに構成されていることを特徴とする請求項２５に記載の画像形成装置。
【請求項２７】
前記感光体は、画像形成に使用する複数の色のそれぞれに対応して設けられ、
前記制御手段は、各色に対応する感光体に前記静電潜像を形成するタイミングを独立して制御する様にさらに構成されていることを特徴とする請求項２５に記載の画像形成装置。
【請求項２８】
前記検出手段は、画像形成に使用する複数の色のそれぞれに対応して設けられることを特徴とする請求項２２乃至２７のいずれか１項に記載の画像形成装置。
【請求項２９】
画像を形成するためのプロセス手段に電圧を印加する電圧印加手段を備え、
前記検出手段は、前記電圧印加手段が前記プロセス手段に電圧を印加することにより、前記プロセス手段を介して前記電圧印加部に流れる電流を検出することを特徴とする請求項２２乃至２８のいずれか１項に記載の画像形成装置。